(57)【要約】【課題】売上データ処理装置に送信されるメッセージを宛先のオペレータだけに見せることである。【解決手段】情報センタサーバ１０と通信する通信手段と、オペレータ情報を記憶するオペレータ情報記憶手段と、情報を出力する出力手段と、操作入力を受け付ける操作手段と、前記通信手段を介して情報センタサーバ１０から前記メッセージ情報を受信し、操作中のオペレータを識別するオペレータ情報の入力を前記操作手段を介して受付けて前記オペレータ情報記憶手段に記憶し、当該オペレータ情報記憶手段に記憶されたオペレータ情報と前記受信されたメッセージ情報の宛先オペレータ情報とが一致するか否かを判別し、一致すると判別される場合に、当該メッセージ情報のメッセージ内容を前記出力手段に出力させる制御手段と、を備える。【選択図】図１
2009031994.tif 000002
【特許請求の範囲】
【請求項１】
メッセージ内容及び当該メッセージ内容の宛先のオペレータを識別する宛先オペレータ情報を含むメッセージ情報を送信するサーバ装置と通信する通信手段と、
オペレータ情報を記憶するオペレータ情報記憶手段と、
情報を出力する出力手段と、
操作入力を受け付ける操作手段と、
前記通信手段を介して前記サーバ装置から前記メッセージ情報を受信し、操作中のオペレータを識別するオペレータ情報の入力を前記操作手段を介して受付けて前記オペレータ情報記憶手段に記憶し、当該オペレータ情報記憶手段に記憶されたオペレータ情報と前記受信されたメッセージ情報の宛先オペレータ情報とが一致するか否かを判別し、一致すると判別される場合に、当該メッセージ情報のメッセージ内容を前記出力手段に出力させる制御手段と、を備える売上データ処理装置。
【請求項２】
前記出力手段は、情報を表示する表示手段であり、
前記制御手段は、前記メッセージ情報のメッセージ内容を前記表示手段に表示させる請求項１に記載の売上データ処理装置。
【請求項３】
前記出力手段は、売上データを印刷する印刷手段であり、
前記制御手段は、前記メッセージ情報のメッセージ内容を前記印刷手段に印刷させ、前記操作手段に対しロック解除操作以外の操作入力を受け付けなくするロックをかけ、前記操作手段を介してロック解除操作入力が入力されると前記操作手段の操作ロックを解除する請求項１又は２に記載の売上データ処理装置。
【請求項４】
前記制御手段は、操作中のオペレータに対応するキー操作入力を前記操作手段を介して受け付け、当該キー操作入力に対応するオペレータ情報を前記オペレータ情報記憶手段に記憶する請求項１から３のいずれか一項に記載の売上データ処理装置。
【請求項５】
前記操作手段は、操作中のオペレータのオペレータ情報の入力を受け付けるオペレータ指定キーを有し、
前記制御手段は、操作中のオペレータに対応するオペレータ情報を前記オペレータ指定キーを介して受け付ける請求項１から４のいずれか一項に記載の売上データ処理装置。
【請求項６】
前記操作手段は、挿入されるオペレータ別の鍵の識別により操作中のオペレータのオペレータ情報の入力を受け付ける鍵挿入手段を有し、
前記制御手段は、操作中のオペレータに対応するオペレータ情報を前記鍵挿入手段を介して受け付ける請求項１から５のいずれか一項に記載の売上データ処理装置。
【請求項７】
前記操作手段は、印刷実行キーを有し、
前記制御手段は、前記印刷実行キーの複数の入力に応じて、前記メッセージ内容を前記出力手段に出力させる請求項１から６のいずれか一項に記載の売上データ処理装置。
【請求項８】
請求項１から７のいずれか一項に記載の売上データ処理装置と、
前記サーバ装置と、を備え、
前記サーバ装置は、
前記売上データ処理装置及び端末装置と通信を行うサーバ装置側通信手段と、
メッセージ情報を記憶するメッセージ記憶手段と、
前記サーバ装置側通信手段を介して前記端末装置からメッセージ情報を受信して前記メッセージ記憶手段に記憶し、前記メッセージ記憶手段からメッセージ情報を読み出し、前記サーバ装置側通信手段を介して当該メッセージ情報を当該メッセージ情報の宛先オペレータに対応する売上データ処理装置に送信するサーバ装置側制御手段と、を備える情報処理システム。
【請求項９】
コンピュータを、
メッセージ内容及び当該メッセージ内容の宛先のオペレータを識別する宛先オペレータ情報を含むメッセージ情報を送信するサーバ装置と通信する通信手段、
オペレータ情報を記憶するオペレータ情報記憶手段、
情報を出力する出力手段、
操作入力を受け付ける操作手段、
前記通信手段を介して前記サーバ装置から前記メッセージ情報を受信し、操作中のオペレータを識別するオペレータ情報の入力を前記操作手段を介して受付けて前記オペレータ情報記憶手段に記憶し、当該オペレータ情報記憶手段に記憶されたオペレータ情報と前記受信されたメッセージ情報の宛先オペレータ情報とが一致するか否かを判別し、一致すると判別される場合に、当該メッセージ情報のメッセージ内容を前記出力手段に出力させる制御手段、
として機能させるためのプログラム。
【発明の詳細な説明】
【技術分野】
【０００１】
本発明は、売上データ処理装置、情報処理システム及びプログラムに関する。
【背景技術】
【０００２】
従来、商品を販売する店舗に設置され、販売された商品の売上データを処理する売上データ処理装置としてＥＣＲ（Electronic Cash Resister）やＰＯＳ（Point Of Sales）端末が知られている。ＥＣＲやＰＯＳ端末は、顧客の商品の会計処理時にレシートを印刷するための印刷部を備える。
【０００３】
また、複数のＰＯＳ端末と、ＰＯＳサーバとを備え、ＰＯＳサーバから各ＰＯＳ端末に業務連絡等のメッセージをメール送信し、ＰＯＳ端末の印刷部で印刷するシステムが考えられている（例えば、特許文献１参照）。
【特許文献１】特開２００２−７４５２５号公報
【発明の開示】
【発明が解決しようとする課題】
【０００４】
一般に、ＥＣＲ（ＰＯＳ端末）は、複数のオペレータにより交代で操作される。しかし、上記従来のメッセージの配信システムにおいて、特定のオペレータ宛のメッセージをＥＣＲに送信しても、他のオペレータがそのＥＣＲを操作中に同じメッセージを見ることができてしまうという問題があった。
【０００５】
さらに、ＥＣＲの印刷部に、記録紙を自動的に切断するオートカット機能がない構成では、オペレータがメッセージを印刷すると、その印刷部分が直前又は直後の取引（レシート）に連続して印刷されてしまうおそれがあった。このため、そのレシートを顧客に渡してしまうと、その顧客にメッセージ内容まで見られることとなっていた。
【０００６】
本発明の課題は、売上データ処理装置に送信されるメッセージを宛先のオペレータだけに見せることである。
【課題を解決するための手段】
【０００７】
上記課題を解決するために、請求項１に記載の発明の売上データ処理装置は、
メッセージ内容及び当該メッセージ内容の宛先のオペレータを識別する宛先オペレータ情報を含むメッセージ情報を送信するサーバ装置と通信する通信手段と、
オペレータ情報を記憶するオペレータ情報記憶手段と、
情報を出力する出力手段と、
操作入力を受け付ける操作手段と、
前記通信手段を介して前記サーバ装置から前記メッセージ情報を受信し、操作中のオペレータを識別するオペレータ情報の入力を前記操作手段を介して受付けて前記オペレータ情報記憶手段に記憶し、当該オペレータ情報記憶手段に記憶されたオペレータ情報と前記受信されたメッセージ情報の宛先オペレータ情報とが一致するか否かを判別し、一致すると判別される場合に、当該メッセージ情報のメッセージ内容を前記出力手段に出力させる制御手段と、を備える。
【０００８】
請求項２に記載の発明は、請求項１に記載の売上データ処理装置において、
前記出力手段は、情報を表示する表示手段であり、
前記制御手段は、前記メッセージ情報のメッセージ内容を前記表示手段に表示させる。
【０００９】
請求項３に記載の発明は、請求項１又は２に記載の売上データ処理装置において、
前記出力手段は、売上データを印刷する印刷手段であり、
前記制御手段は、前記メッセージ情報のメッセージ内容を前記印刷手段に印刷させ、前記操作手段に対しロック解除操作以外の操作入力を受け付けなくするロックをかけ、前記操作手段を介してロック解除操作入力が入力されると前記操作手段の操作ロックを解除する。
【００１０】
請求項４に記載の発明は、請求項１から３のいずれか一項に記載の売上データ処理装置において、
前記制御手段は、操作中のオペレータに対応するキー操作入力を前記操作手段を介して受け付け、当該キー操作入力に対応するオペレータ情報を前記オペレータ情報記憶手段に記憶する。
【００１１】
請求項５に記載の発明は、請求項１から４のいずれか一項に記載の売上データ処理装置において、
前記操作手段は、操作中のオペレータのオペレータ情報の入力を受け付けるオペレータ指定キーを有し、
前記制御手段は、操作中のオペレータに対応するオペレータ情報を前記オペレータ指定キーを介して受け付ける。
【００１２】
請求項６に記載の発明は、請求項１から５のいずれか一項に記載の売上データ処理装置において、
前記操作手段は、挿入されるオペレータ別の鍵の識別により操作中のオペレータのオペレータ情報の入力を受け付ける鍵挿入手段を有し、
前記制御手段は、操作中のオペレータに対応するオペレータ情報を前記鍵挿入手段を介して受け付ける。
【００１３】
請求項７に記載の発明は、請求項１から６のいずれか一項に記載の売上データ処理装置において、
前記操作手段は、印刷実行キーを有し、
前記制御手段は、前記印刷実行キーの複数の入力に応じて、前記メッセージ内容を前記出力手段に出力させる。
【００１４】
請求項８に記載の発明の情報処理システムは、
請求項１から７のいずれか一項に記載の売上データ処理装置と、
前記サーバ装置と、を備え、
前記サーバ装置は、
前記売上データ処理装置及び端末装置と通信を行うサーバ装置側通信手段と、
メッセージ情報を記憶するメッセージ記憶手段と、
前記サーバ装置側通信手段を介して前記端末装置からメッセージ情報を受信して前記メッセージ記憶手段に記憶し、前記メッセージ記憶手段からメッセージ情報を読み出し、前記サーバ装置側通信手段を介して当該メッセージ情報を当該メッセージ情報の宛先オペレータに対応する売上データ処理装置に送信するサーバ装置側制御手段と、を備える。
【００１５】
請求項９に記載の発明は、
コンピュータを、
メッセージ内容及び当該メッセージ内容の宛先のオペレータを識別する宛先オペレータ情報を含むメッセージ情報を送信するサーバ装置と通信する通信手段、
オペレータ情報を記憶するオペレータ情報記憶手段、
情報を出力する出力手段、
操作入力を受け付ける操作手段、
前記通信手段を介して前記サーバ装置から前記メッセージ情報を受信し、操作中のオペレータを識別するオペレータ情報の入力を前記操作手段を介して受付けて前記オペレータ情報記憶手段に記憶し、当該オペレータ情報記憶手段に記憶されたオペレータ情報と前記受信されたメッセージ情報の宛先オペレータ情報とが一致するか否かを判別し、一致すると判別される場合に、当該メッセージ情報のメッセージ内容を前記出力手段に出力させる制御手段、
として機能させるためのプログラムである。
【発明の効果】
【００１６】
本発明によれば、売上データ処理装置に送信させるメッセージを宛先のオペレータだけに見せることができる。
【発明を実施するための最良の形態】
【００１７】
以下、添付図面を参照して本発明に係る好適な実施の形態を詳細に説明する。なお、本発明は、図示例に限定されるものではない。
【００１８】
先ず、図１〜図５を参照して、本実施の形態の装置構成を説明する。図１に、本実施の形態の決済システム１の構成を示す。
【００１９】
図１に示すように、決済システム１は、サーバ装置としての情報センタサーバ１０と、売上データ処理装置としてのＥＣＲ（Electronic Cash Resister）２０Ａ，２０Ｂと、電子決済端末３１Ａ，３１Ｂと、カードリーダ３２Ａ，３２Ｂと、端末装置としてのＰＣ（Personal Computer）４０Ａ，４０Ｂと、決済センタサーバ５０と、を備えて構成される。情報センタサーバ１０は、通信ネットワークＮを介して、ＥＣＲ２０Ａ，２０Ｂ、ＰＣ４０Ａ，４０Ｂと、通信接続されている。ＥＣＲ２０Ａは、電子決済端末３１Ａ、カードリーダ３２Ａに接続されている。ＥＣＲ２０Ｂは、電子決済端末３１Ａ、カードリーダ３２Ｂに接続されている。決済センタサーバ５０は、情報センタサーバ１０と接続されている。なお、売上データ処理装置は、ＥＣＲ（Electronic Cash Resister）に限定されず、ＰＯＳ(Point Of Sales)端末であってもよい。
【００２０】
ＥＣＲ２０Ａ、電子決済端末３１Ａ、カードリーダ３２Ａは、第１のオーナーが経営する会社の第１の店舗に所属するものとする。ＥＣＲ２０Ａ、電子決済端末３１Ａ、カードリーダ３２Ａは、第１のオーナーが経営する会社の第１の店舗に所属するものとする。ＰＣ４０Ａは、第１のオーナーに所属するものとする。また、ＥＣＲ２０Ｂ、電子決済端末３１Ｂ、カードリーダ３２Ｂは、第１のオーナーとは別の第２のオーナーが経営する会社の第２の店舗に所属するものとする。ＰＣ４０Ｂは、第２のオーナーに所属するものとする。
【００２１】
また、ＥＣＲ２０Ａ、電子決済端末３１Ａ、カードリーダ３２Ａが、第１の店舗に設置され、ＰＣ４０Ａが第１のオーナーの事務所等に設置されているものとする。また、ＥＣＲ２０Ｂ、電子決済端末３１Ｂ、カードリーダ３２Ｂが、第２の店舗に設置され、ＰＣ４０Ｂが第２のオーナーの事務所等に設置されているものとする。なお、オーナーの数（ＰＣの数）と、一人のオーナーが経営する店舗数と、店舗に設置されるＥＣＲ、電子決済端末及びカードリーダの台数とは、図１の例に限定されない。
【００２２】
ＥＣＲ２０Ａ，２０Ｂは、各店舗の売上データ処理を行う売上データ処理装置である。ＥＣＲ２０Ａ，２０Ｂは、会計時の売上データ処理で入力された売上データを保存するとともに、例えば１日の営業時間終了ごとに情報センタサーバ１０に送信する。
【００２３】
また、ＥＣＲ２０Ａ，２０Ｂは、情報センタサーバ１０から送信されたメッセージを表示又はプリント（印刷）する。メッセージとは、オーナーからＥＣＲ２０Ａ，２０Ｂのオペレータへの業務連絡、事務連絡等の連絡事項のメッセージである。
【００２４】
電子決済端末３１Ａ，３１Ｂは、それぞれ、ＥＣＲ２０Ａ，２０Ｂに接続される。電子決済端末３１Ａ，３１Ｂは、顧客のクレジットカード、携帯電話機等からカード情報を読み取り、そのカード情報を含む決済データ及び決済承認要求を、情報センタサーバ１０及び決済センタサーバ５０を介して、図示しないカード会社サーバへ送信する。クレジットカードとしては、磁性体のストライプラインを有する磁気カード、ＩＣ（Integrated Circuit）チップを有するＩＣカード等の接触式又は非接触式に通信を行うカードである。携帯電話機は、例えば、非接触式に通信を行う通信機能及びクレジットカード機能を有するものとする。
【００２５】
カードリーダ３２Ａ，３２Ｂは、それぞれ、ＥＣＲ２０Ａ，２０Ｂに接続される。カードリーダ３２Ａ，３２Ｂは、顧客の磁気カード（クレジットカード）のカード情報を読み取り、そのカード情報をそれぞれＥＣＲ２０Ａ，２０Ｂに送信する。
【００２６】
ＰＣ４０Ａ，４０Ｂは、ＥＣＲ２０Ａ，２０Ｂを使用するオペレータ宛のメッセージ内容を含むメッセージ情報をＥＣＲ２０Ａ，２０Ｂに送信する装置である。
【００２７】
情報センタサーバ１０は、ＥＣＲ２０Ａ，２０Ｂから送信された売上データを記憶する。また、情報センタサーバ１０は、電子決済端末３１Ａ，３１ＢからＥＣＲ２０Ａ，２０Ｂを介して送信された電子決済の決済データ、承認要求等を決済センタサーバ５０へ送信し、決済センタサーバ５０から送信された承認結果をＥＣＲ２０Ａ，２０Ｂを介して電子決済端末３１Ａ，３１Ｂへ送信し、その決済に関する情報を売上データに関連付けて記憶する決済管理機能を有する。また、情報センタサーバ１０は、ＰＣ４０Ａ，４０Ｂから送信されたメッセージ情報を宛先のＥＣＲ２０Ａ，２０Ｂに配信する。
【００２８】
決済センタサーバ５０は、少なくとも一つのカード会社サーバ（図示略）と情報センタサーバ１０との間の決済に関する情報の通信を中継・管理する。カード会社サーバは、各カード会社に所属するサーバ装置である。
【００２９】
決済センタサーバ５０は、情報センタサーバ１０から電子決済端末３１Ａ、３１Ｂの決済データ及び承認要求を受信し、この決済データ及び承認要求を、対応するカード会社のカード会社サーバに送信する。このカード会社サーバは、決済センタサーバ５０から電子決済端末３１Ａ，３１Ｂの決済データ及び承認要求を受信し、当該決済データ及び承認要求に応じて承認の可否を判別し、その結果に承認番号を付与して承認結果を生成して決済センタサーバ５０に送信する。決済センタサーバ５０は、カード会社サーバから承認結果を受信して情報センタサーバ１０に送信する。
【００３０】
通信ネットワークＮは、例えば、ＷＡＮ（Wide Area Network）やインターネット等の通信ネットワークにより構成されているが、ＬＡＮ（Local Area Network）等を含めてもよく、電話回線、専用線、移動体通信網、通信衛星網、ＣＡＴＶ（Cable Television）回線、インターネットプロバイダ等を含めてもよい。
【００３１】
次いで、情報センタサーバ１０の構成を説明する。図２に、情報センタサーバ１０の内部構成を示す。
【００３２】
図２に示すように、情報センタサーバ１０は、サーバ装置側制御手段としてのＣＰＵ（Central Processing Unit）１１と、入力部１２と、ＲＡＭ（Random Access Memory）１３と、表示部１４と、メッセージ記憶手段としての記憶部１５と、サーバ装置側通信手段としての通信部１６と、を備えて構成され、各部がバス１７を介して接続される。
【００３３】
ＣＰＵ１１は、情報センタサーバ１０の各部を中央制御する。ＣＰＵ１１は、記憶部１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００３４】
ＣＰＵ１１は、後述する登録プログラムとの協働で、ＰＣ４０Ａ，４０Ｂからメッセージ情報を受信して記憶部１５のメッセージファイル７３に記憶する。
【００３５】
また、ＣＰＵ１１は、後述するメッセージ応答プログラムとの協働で、ＥＣＲ２０Ａ，２０Ｂからメッセージ要求を受信し、その要求元のＥＣＲに対応するメッセージ内容を記憶部１５のメッセージファイル７３から検索し、検索したメッセージ内容及び宛先オペレータ情報を含むメッセージ応答情報を、要求元のＥＣＲに送信する。
【００３６】
入力部１２は、カーソルキー、文字、数字入力キー及び各種機能キーなどを備えたキーボードを含む構成とし、操作者により各キーが押下された操作信号をＣＰＵ１１に出力する。また、入力部１２は、マウス等のポインティングデバイスを含み、位置入力信号を受け付けてＣＰＵ１１に送信することとしてもよい。
【００３７】
ＲＡＭ１３は、揮発性のメモリである。また、ＲＡＭ１３は、実行される各種プログラムやこれら各種プログラムに係るデータ等を格納するワークエリアを有する。
【００３８】
表示部１４は、ＬＣＤ（Liquid Crystal Display）、ＣＲＴ（Cathode Ray Tube）等で構成され、ＣＰＵ１１からの表示制御信号に従って画面表示を行う。
【００３９】
記憶部１５は、磁気記録媒体を有するＨＤＤ（Hard Disk Drive）等により構成され、各種プログラム及び各種データを読み出し及び書き込み可能に当該記録媒体に記憶する。記憶部１５は、後述する、売上データファイル７１、ＥＣＲテーブル７２、メッセージファイル７３、登録プログラム、メッセージ応答プログラムを記憶する。
【００４０】
通信部１６は、モデム、ＴＡ（Terminal Adapter）、ルータ、ネットワークカード等により構成される。通信部１６は、接続される通信ネットワークＮ上のＥＣＲ２０Ａ，２０Ｂ、ＰＣ４０Ａ，４０Ｂ等の外部機器、決済センタサーバ５０と情報を送受信する。
【００４１】
次いで、ＥＣＲ２０Ａ，２０Ｂの構成を説明する。図３に、ＥＣＲ２０Ａの内部構成を示す。ここでは、ＥＣＲ２０Ａを代表して説明するが、ＥＣＲ２０Ｂも同様である。
【００４２】
図３に示すように、ＥＣＲ２０Ａは、制御手段としてのＣＰＵ２１と、操作手段としての入力部２２と、ＲＡＭ２３と、出力手段（表示手段）としての表示部２４と、オペレータ情報記憶手段としての記憶部２５と、通信手段としての通信部２６と、接続部２７と、ドロア２８と、出力手段（印刷手段）としてのプリント部２９ａと、接続部２９ｂと、点灯部２９ｃと、を備えて構成され、各部がバス２９ｄを介して接続される。
【００４３】
ＣＰＵ２１、ＲＡＭ２３、通信部２６については、それぞれ、情報センタサーバ１０のＣＰＵ１１、ＲＡＭ１３、通信部１６の構成と同様であり、異なる部分を主として説明する。
【００４４】
ＣＰＵ２１は、記憶部２５に記憶されたメッセージ取得プログラムとの協働で、メッセージ要求を情報センタサーバ１０へ送信し、そのメッセージ要求に対応するメッセージ応答情報を情報センタサーバ１０から受信し、メッセージ応答情報にメッセージ内容が含まれていれば、そのメッセージ内容及び宛先オペレータ情報を記憶部２５に記憶する。
【００４５】
また、ＣＰＵ２１は、記憶部２５に記憶されたメッセージ出力プログラムとの協働で、記憶部２５に記憶されている新規メッセージの宛先オペレータ情報と自機操作中のオペレータのオペレータ情報とが一致するか否かを判別する。ＣＰＵ２１は、一致していると判別した場合に、点灯部２９ｃを点灯し、入力部２２を介するオペレータの指示入力に応じて、新規メッセージのメッセージ内容を表示部２４に表示し、又はメッセージ内容をプリント部２９ａで印刷し、入力部２２をキーロックし、キーロック解除の指示入力に応じてキーロックを解除する。
【００４６】
入力部２２は、カーソルキー、文字、数字入力キー及び各種機能キーなどを備えたレジ用のキーボードを含む構成とし、操作者により各キーが押下された操作信号をＣＰＵ２１に出力する。入力部２２は、現在自機（ＥＣＲ）を操作中のオペレータ（店員）の識別番号であるオペレータ情報を指定入力するためのオペレータ別のオペレータ指定キーと、メッセージのプリント実行を入力するためのプリント実行キーと、入力部２２のキーロックを解除するためのキーロック解除キーと、を有する。
【００４７】
なお、本実施の形態では、オペレータ指定キーを用いて、オペレータ情報を入力する構成としたが、これに限定されるものではない。例えば、ＥＣＲを使用する全てのオペレータに異なる鍵を配布し、それらの鍵の鍵挿入部を入力部２２が有する構成としてもよい。入力部２２の鍵挿入部は、挿入された鍵を識別して対応するオペレータ情報を取得することにより、オペレータ情報の入力を受け付ける。
【００４８】
また、例えば、入力部２２が有する各種キーの組み合わせ入力に応じてオペレータ情報を取得することにより、オペレータ情報の入力を受け付ける構成としてもよい。
【００４９】
表示部２４は、ＬＣＤ等で構成され、ＣＰＵ２１からの表示制御信号に従って画面表示を行う。また、入力部２２は、表示部２４と一体的にタッチパネルを構成することとしてもよい。また、入力部２２は、商品に設けられたバーコードを読み取るバーコードリーダやバーコードスキャナ等を備えることとしてもよい。
【００５０】
記憶部２５は、フラッシュメモリ等により構成され、各種プログラム及び各種データを、読み出し及び書き込み可能にフラッシュメモリ等に記憶する。また、記憶部２５は、各種プログラム及び各種データを読み出し可能に記憶するＲＯＭ等を有することとしてもよい。また、記憶部２５は、ＨＤＤ等により構成してもよい。また、記憶部２５は、後述する売上データファイル６１、オペレータ情報ファイル６２、受信ファイル６３、メッセージ取得プログラム、メッセージ出力プログラムを記憶する。
【００５１】
通信部２６は、通信ネットワークＮ上の情報センタサーバ１０等の外部機器と通信を行う。接続部２７は、電子決済端末３１Ａと有線又は無線で通信接続され、情報を送受信する。ＥＣＲ２０Ｂの接続部２７は、電子決済端末３１Ｂと通信接続される。
【００５２】
ドロア２８は、硬貨や紙幣等の現金を収納する引出しである。ドロア２８は、例えば、ＣＰＵ２１の指示により、引出しを開ける。
【００５３】
プリント部２９ａは、例えば、サーマルプリンタであり、レシート用、ジャーナル用の記録用紙（ロール紙）を有し、ＣＰＵ２１から入力される指示に従って、各ロール紙に対して金額等のデータをプリントアウトする。また、プリント部２９ａは、記録用紙のオートカット機能を有しないものとする。
【００５４】
接続部２９ｂは、カードリーダ３２Ｂと有線又は無線で通信接続され、情報を送受信する。ＥＣＲ２０Ｂの接続部２９ｂは、カードリーダ３２Ｂと通信接続される。点灯部２９ｃは、ＬＥＤ（Light Emitting Diode）等から構成され、ＣＰＵ２１の指示により点灯・消灯を行う。
【００５５】
次いで、ＰＣ４０Ａ，４０Ｂの構成を説明する。図４に、ＰＣ４０Ａの内部構成を示す。ここでは、ＰＣ４０Ａを代表して説明するが、ＰＣ４０Ｂも同様である。
【００５６】
図４に示すように、ＰＣ４０Ａは、ＣＰＵ４１と、入力部４２と、ＲＡＭ４３と、表示部４４と、記憶部４５と、通信部４６と、を備えて構成され、各部がバス４７を介して接続される。
【００５７】
ＣＰＵ４１、入力部４２、ＲＡＭ４３、表示部４４、記憶部４５、通信部４６については、それぞれ、情報センタサーバ１０のＣＰＵ１１、入力部１２、ＲＡＭ１３、表示部１４、記憶部１５、通信部１６の構成と同様であり、異なる部分を主として説明する。
【００５８】
ＣＰＵ４１は、記憶部４５に記憶された登録要求プログラムとの協働で、宛先ＥＣＲ、宛先オペレータ及びメッセージ内容の入力を入力部４２を介して受け付け、対応する宛先ＥＣＲ情報、宛先オペレータ情報及びメッセージ内容を含むメッセージ情報を情報センタサーバ１０へ送信する。
【００５９】
記憶部４５は、登録要求プログラムを記憶する。通信部４６は、通信ネットワークＮ上の情報センタサーバ１０等の外部機器と通信を行う。
【００６０】
次に、図５及び図６を参照して、決済システム１で扱うデータを説明する。図５（ａ）に、ＥＣＲ２０Ａ，２０Ｂに記憶されるデータの構成を示す。図５（ｂ）に、情報センタサーバ１０に記憶されるデータの構成を示す。図６（ａ）に、情報センタサーバ１０に記憶されるＥＣＲテーブル７２の構成を示す。図６（ｂ）に、情報センタサーバ１０に記憶されるメッセージファイル７３の構成を示す。
【００６１】
図５（ａ）に示すように、ＥＣＲ２０Ａの記憶部２５には、売上データファイル６１と、オペレータ情報ファイル６２と、受信ファイル６３と、が記憶される。ＥＣＲ２０Ｂも同様である。
【００６２】
図５（ｂ）に示すように、情報センタサーバ１０の記憶部１５には、売上データファイル７１と、ＥＣＲテーブル７２と、オペレータ情報ファイル６２と、受信ファイル６３と、が記憶される。
【００６３】
売上データファイル６１は、ＥＣＲ２０Ａ又は２０Ｂにおける会計ごとに集計した売上データを格納する。その売上データは、売り上げた商品の個数、種類、価格等のデータを含む。その売上データは、例えば、部門別、商品別、価格帯別、担当者別等に、売り上げた商品の個数、種類、価格等のデータと、それらの累計のデータと、を含む。売上データファイル７１は、ＥＣＲ２０Ａ及び２０Ｂにおける売上データを格納する。
【００６４】
ＥＣＲ２０Ａ，２０Ｂは、自機が設置された店舗において、顧客が購入する商品の会計ごとに、入力部２２を介してオペレータ（店員）に入力されたデータに対応して、売上データを記憶部２５の売上データファイル６１に記憶（更新）していく。また、ＥＣＲ２０Ａ，２０Ｂは、店舗の営業終了時等に、記憶部２５に記憶された一日分の売上データファイル６１の売上データを情報センタサーバ１０へ送信する。
【００６５】
情報センタサーバ１０は、ＥＣＲ２０Ａ，２０Ｂから受信した一日分の売上データを、記憶部１５の売上データファイル７１に記憶（更新）する。一日分の売上データを一世代とする。記憶部２５に記憶される売上データファイル６１は、会計毎に随時更新される当日分の売上データと、５世代分（最後に更新した日からその４日前までの分）の売上データと、を含む。但し、記憶部２５に記憶される当日分以外の売上データは、５世代に限定されるものではない。また、記憶部２５に記憶される５世代分の売上データは、先入れ先出し方式で日々更新される。
【００６６】
オペレータ情報ファイル６２は、入力部２２のオペレータ指定キーを介して入力された現在自機（ＥＣＲ）を操作中のオペレータの識別番号を格納する。
【００６７】
受信ファイル６３は、ＥＣＲ２０Ａ又は２０Ｂが、情報センタサーバ１０から受信したメッセージ情報を格納する。メッセージ情報は、後述する宛先ＥＣＲ情報、宛先オペレータ情報、ステータス、メッセージ内容を含む情報である。
【００６８】
ＥＣＲテーブル７２は、オーナー（ＰＣ）とＥＣＲとを対応付けるためのテーブルである。図６（ａ）に示すように、ＥＣＲテーブル７２は、オーナーＩＤ７２１と、宛先ＥＣＲ情報７２２と、を有する。オーナーＩＤ７２１は、ＥＣＲが設置された店舗を経営するオーナを識別するＩＤ情報である。宛先ＥＣＲ情報７２２は、オーナーＩＤ７２１に関連付けられ、ＰＣ４０Ａ又は４０Ｂ（オーナー）から送信されたメッセージの宛先のＥＣＲを識別する情報である。
【００６９】
メッセージファイル７３は、ＰＣ４０Ａ又は４０Ｂ（オーナー）から送信されたメッセージ及びメッセージに関する情報を格納する。図６（ｂ）に示すように、メッセージファイル７３は、レコード番号７３１、オーナーＩＤ７３２、宛先ＥＣＲ情報７３３、宛先オペレータ情報７３４、ステータス７３５、メッセージ内容７３６、送信済フラグ７３７を含む。
【００７０】
レコード番号７３１は、メッセージファイル７３の各レコードに順に付与される番号である。オーナーＩＤ７３２、宛先ＥＣＲ情報７３３は、それぞれ、オーナーＩＤ７２１、宛先ＥＣＲ情報７２２と同様である。宛先オペレータ情報７３４は、宛先のオペレータを識別する識別番号としてのオペレータ情報である。
【００７１】
ステータス７３５は、各レコードのメッセージ内容７３６における１メッセージの開始、終了及び継続の状態を示す情報である。ステータス７３５は、例えば、４桁の数字で表され、上位２桁の“００”が１メッセージの開始を示し、下位又は上位２桁の“０１”が１メッセージの継続を示し、下位２桁の“０２”が１メッセージの終了を示す。例えば、ステータス７３５が“０００１”であると、そのレコードが１メッセージの開始で且つレコード番号７３１が次のレコードに継続することを示す。例えば、ステータス７３５が“０１０２”であると、そのレコードがレコード番号７３１が前のレコードに継続し且つ１メッセージの終了であることを示す。
【００７２】
メッセージ内容７３６は、オーナー（ＰＣ４０Ａ又は４０Ｂ）により設定されたメッセージの内容を示す。送信済フラグ７３７は、宛先のＥＣＲに該当レコードのメッセージを送信済か否かを示す。送信済フラグ７３７は、例えば、“１”が送信済みを示し、“０”が未送信を示す。
【００７３】
次に、図７〜図１２を参照して、決済システム１の動作を説明する。図７に、ＰＣ４０Ａで実行される登録要求処理の流れを示す。図８に、情報センタサーバ１０で実行される登録処理の流れを示す。図９に、ＥＣＲ２０Ａで実行されるメッセージ取得処理の流れを示す。図１０に、情報センタサーバ１０で実行されるメッセージ応答処理の流れを示す。図１１、図１２に、ＥＣＲ２０Ａで実行されるメッセージ出力処理の流れを示す。
【００７４】
ここでは、決済システム１のうち、情報センタサーバ１０と、ＥＣＲ２０Ａ、ＰＣ４０Ａとの動作を代表的に説明するが、情報センタサーバ１０と、ＥＣＲ２０Ｂ、ＰＣ４０Ｂとの動作も同様である。
【００７５】
図７を参照して、ＰＣ４０Ａで実行される登録要求処理を説明する。登録要求処理は、ＥＣＲに配信するメッセージに関するメッセージ情報を情報センタサーバ１０に登録要求する処理である。ＰＣ４０Ａにおいて、例えば、入力部４２を介する実行指示入力をトリガとして、記憶部４５から読み出されて適宜ＲＡＭ４３に展開された登録要求プログラムと、ＣＰＵ４１との協働で登録要求処理が実行される。
【００７６】
先ず、通信部４６を介して、情報センタサーバ１０にログイン等のアクセスがなされる（ステップＳ１１）。そして、通信部４６を介して、情報センタサーバ１０からメッセージ登録画面を表示するためのメッセージ登録画面情報が受信される（ステップＳ１２）。メッセージ登録画面情報は、後述するメッセージ登録画面、宛先ＥＣＲ選択画面、宛先オペレータ選択画面、メッセージ入力画面の表示情報を含む。そして、ステップＳ１２で受信したメッセージ登録画面情報に基づいて、メッセージ登録画面が表示部１４に表示される（ステップＳ１３）。
【００７７】
そして、ステップＳ１２で受信したメッセージ登録画面情報に基づいて、宛先ＥＣＲ選択画面が表示部４４に表示される（ステップＳ１４）。宛先ＥＣＲ選択画面では、例えば、ＰＣ４０Ａの所有者の第１のオーナーが経営する店舗に設置されている全てのＥＣＲが選択肢として含まれる。そして、ステップＳ１４で表示された宛先ＥＣＲ選択画面から、入力部４２を介してオーナーからの宛先ＥＣＲの選択入力が受け付けられ、対応する宛先ＥＣＲ情報が取得される（ステップＳ１５）。
【００７８】
そして、ステップＳ１２で受信したメッセージ登録画面情報に基づいて、宛先オペレータ選択画面が表示部４４に表示される（ステップＳ１６）。宛先オペレータ選択画面では、例えば、ＰＣ４０Ａの所有者の第１のオーナーが経営する店舗に所属されている全てのオペレータが選択肢として含まれる。また、ステップＳ１５で入力されたＥＣＲを操作する全オペレータを選択肢とする構成としてもよい。そして、ステップＳ１６で表示された宛先オペレータ選択画面から、入力部４２を介してオーナーからの宛先ＥＣＲの選択入力が受け付けられ、対応する宛先オペレータ情報が取得される（ステップＳ１７）。
【００７９】
そして、ステップＳ１２で受信したメッセージ登録画面情報に基づいて、メッセージ入力画面が表示部４４に表示される（ステップＳ１８）。そして、ステップＳ１８で表示されたメッセージ入力画面から、入力部４２を介してオーナーからのメッセージ内容入力が受け付けられる（ステップＳ１９）。
【００８０】
そして、入力部４２を介してオーナーからメッセージの登録指示が入力されたか否かが判別される（ステップＳ２０）。メッセージの登録指示入力があった場合（ステップＳ２０；ＹＥＳ）、ステップＳ１５，Ｓ１７，Ｓ１９で取得された宛先ＥＣＲ情報、宛先オペレータ情報、メッセージ内容を含むメッセージ情報が通信部４６を介して情報センタサーバ１０へ送信される（ステップＳ２１）。
【００８１】
そして、入力部４２を介するオーナーからの入力に基づいて、他にメッセージの登録要求をせずに登録要求処理を終了するか否かが判別される（ステップＳ２２）。登録要求処理を終了しない場合（ステップＳ２２；ＮＯ）、ステップＳ１４に移行される。メッセージの登録指示入力がない場合（ステップＳ２０；ＮＯ）、ステップＳ１５，Ｓ１７，Ｓ１９の入力はキャンセルされ、ステップＳ２２に移行される。登録要求処理を終了する場合（ステップＳ２２；ＹＥＳ）、登録要求処理が終了する。
【００８２】
次いで、図８を参照して、情報センタサーバ１０で実行される登録処理を説明する。登録処理は、登録要求処理の登録要求に応じて、メッセージ情報を登録する処理である。情報センタサーバ１０において、例えば、登録要求処理のステップＳ１１に対応して、通信部１６を介してＰＣ４０Ａからアクセスがあったことをトリガとして、記憶部１５から読み出されて適宜ＲＡＭ１３に展開された登録プログラムと、ＣＰＵ１１との協働で登録処理が実行される。
【００８３】
先ず、登録要求処理のステップＳ１２に対応して、メッセージ登録画面情報が生成されて通信部１６を介してアクセス元のＰＣ４０Ａに送信される（ステップＳ３１）。そして、登録要求処理のステップＳ２１に対応して、通信部１６を介してアクセス元のＰＣ４０Ａからメッセージ情報が受信開始されたか否かが判別される（ステップＳ３２）。メッセージ情報が受信開始されていない場合（ステップＳ３２；ＮＯ）、ステップＳ３２に移行される。
【００８４】
メッセージ情報が受信開始された場合（ステップＳ３２；ＹＥＳ）、通信部１６を介してアクセス元のＰＣ４０Ａからメッセージ情報が受信完了される（ステップＳ３３）。そして、メッセージ情報が記憶部１５のメッセージファイル７３に記憶され（ステップＳ３４）、登録処理が終了する。ステップＳ３４では、記憶部１５に記憶されたＥＣＲテーブル７２が参照され、ステップＳ３３で受信したメッセージ情報の宛先ＥＣＲ情報に対応するオーナーＩＤ７２１が取得される。そして、メッセージ情報のメッセージ内容の長さに応じて、ステータス及びこれに応じたメッセージ内容が設定される。そして、取得したオーナーＩＤ、宛先ＥＣＲ情報、宛先オペレータ情報、設定されたステータス、メッセージ内容が、記憶部１５のメッセージファイル７３のレコード番号７３１の次の番号のレコードの、オーナーＩＤ７３２、宛先ＥＣＲ情報７３３、宛先オペレータ情報７３４、ステータス７３５、メッセージ内容７３６に格納され、送信済フラグ７３７が０に設定される。
【００８５】
次いで、図９を参照して、ＥＣＲ２０Ａで実行されるメッセージ取得処理を説明する。メッセージ取得処理は、例えば所定時間毎に、ＥＣＲ２０Ａが会計ごとに集計した売上データを格納する売上データファイル６１に格納された売上データを情報センタサーバ１０に送信すると共に、メッセージを情報センタサーバ１０に要求し、未受信のメッセージがあればメッセージ内容情報として受信して取得する処理である。ここで、情報センタサーバ１０に送信される売上データは、売り上げた商品の個数、種類、価格等のデータを含むと共に、例えば、部門別、商品別、価格帯別、担当者別等に、売り上げた商品の個数、種類、価格等のデータと、それらの累計のデータとを含むものである。ＥＣＲ２０Ａにおいて、例えば、電源オン又は前回のメッセージ取得処理の実行から所定時間（例えば、３０分）経過したことをトリガとして、記憶部２５から読み出されて適宜ＲＡＭ２３に展開されたメッセージ取得プログラムと、ＣＰＵ２１との協働でメッセージ取得処理が実行される。
【００８６】
先ず、自機（ＥＣＲ２０Ａ）宛てのメッセージを要求する旨のメッセージ要求が生成され通信部２６を介して情報センタサーバ１０に送信される（ステップＳ４１）。そして、メッセージ要求に応じて、情報センタサーバ１０からメッセージ応答情報の受信が開始されたか否かが判別される（ステップＳ４２）。メッセージ応答情報は、情報センタサーバ１０から未受信のメッセージがある場合には、メッセージ内容、ステータス及び宛先オペレータ情報を含むが、未受信のメッセージ内容がない場合には、メッセージ内容等を含まないものとする。メッセージ応答情報が受信開始されない場合（ステップＳ４２；ＮＯ）、ステップＳ４２に移行される。
【００８７】
メッセージ応答情報が受信開始された場合（ステップＳ４２；ＹＥＳ）、メッセージ応答情報が受信完了される（ステップＳ４３）。そして、メッセージ応答情報にメッセージ内容が含まれるか否かが判別される（ステップＳ４４）。メッセージ応答情報にメッセージ内容が含まれる場合（ステップＳ４４；ＹＥＳ）、そのメッセージ応答情報のメッセージ内容が宛先オペレータ情報に対応付けられて記憶部２５の受信ファイル６３に記憶され（ステップＳ４５）、メッセージ取得処理が終了する。メッセージ応答情報にメッセージ内容が含まれない場合（ステップＳ４４；ＮＯ）、メッセージ取得処理が終了する。
【００８８】
次いで、図１０を参照して、情報センタサーバ１０で実行されるメッセージ応答処理を説明する。メッセージ応答処理は、ＥＣＲからのメッセージ要求に応じて、未送信のメッセージ内容を含む又は含まないメッセージ応答情報を、要求元のＥＣＲに送信する処理である。ＥＣＲ２０Ａにおいて、例えば、メッセージ取得処理のステップＳ４１に対応して、メッセージ要求が通信部１６を介して受信されたことをトリガとして、記憶部１５から読み出されて適宜ＲＡＭ１３に展開されたメッセージ応答プログラムと、ＣＰＵ２１との協働でメッセージ応答処理が実行される。
【００８９】
先ず、ＥＣＲ２０Ａから送信された売上データが売上データファイル７１に格納されると共に、ＥＣＲ２０Ａから送信されたメッセージ要求に基づいて、メッセージ要求元のＥＣＲが宛先ＥＣＲに指定される（ステップＳ５１）。そして、記憶部１５に記憶されたメッセージファイル７３が参照され、ステップＳ５１で指定されたＥＣＲの宛先ＥＣＲ情報７３３で且つ送信済フラグ７３７が０（未送信）のメッセージ（レコード）が検索される（ステップＳ５２）。
【００９０】
そして、ステップＳ５２で該当するメッセージ（レコード）があるか否かが判別される（ステップＳ５３）。該当するメッセージ（レコード）がある場合（ステップＳ５３；ＹＥＳ）、該当するメッセージファイル７３のレコードが読み出される（ステップＳ５４）。そして、メッセージ取得処理のステップＳ４２に対応して、ステップＳ５４で読み出したレコードの宛先オペレータ情報７３４、ステータス７３５及びメッセージ内容７３６を含むメッセージ応答情報が生成されてメッセージ要求元のＥＣＲ２０Ａに送信され（ステップＳ５５）、メッセージ応答処理が終了する。
【００９１】
該当するメッセージ（レコード）がない場合（ステップＳ５３；ＮＯ）、メッセージ取得処理のステップＳ４２に対応して、該当するメッセージ内容がない旨のメッセージ応答情報が生成されてメッセージ要求元のＥＣＲ２０Ａに送信され（ステップＳ５６）、メッセージ応答処理が終了する。
【００９２】
次いで、図１１を参照して、ＥＣＲ２０Ａで実行されるメッセージ出力処理を説明する。メッセージ出力処理は、通常の会計処理(売上登録)を行うとともに、操作中のオペレータを宛先とするメッセージがある場合に、そのメッセージの表示又はプリントを行う処理である。ＥＣＲ２０Ａにおいて、例えば、電源オンされたことをトリガとして、記憶部２５から読み出されて適宜ＲＡＭ２３に展開されたメッセージ出力プログラムと、ＣＰＵ２１との協働でメッセージ出力処理が実行される。
【００９３】
先ず、入力部２２のオペレータ指定キーが押下入力されて、ＥＣＲを操作するオペレータの切替が発生したか否かが判別される（ステップＳ６１）。オペレータ切替が発生した場合（ステップＳ６１；ＹＥＳ）、新しいオペレータがサインオンされ、ステップＳ６１で入力された新しいオペレータのオペレータ情報が、記憶部２５のオペレータ情報ファイル６２に格納して設定される（ステップＳ６２）。ここで、オペレータ切替とは、業務交替や休憩等のためにＥＣＲを操作するオペレータが交代する場合を示している。
【００９４】
そして、記憶部２５の受信ファイル６３が参照され、未出力の新規メッセージ（のメッセージ内容等）があるか否かが判別される（ステップＳ６３）。オペレータ切替が発生していない場合（ステップＳ６１；ＮＯ）、ステップＳ６３に移行される。新規メッセージがある場合（ステップＳ６３；ＹＥＳ）、オペレータ情報ファイル６２が参照され、オペレータ情報が読み出される（ステップＳ６４）。
【００９５】
そして、ステップＳ６３での新規メッセージの宛先オペレータ情報とステップＳ６４で読み出されたオペレータ情報とが比較される（ステップＳ６６）。そして、ステップＳ６５の比較結果に基づいて、オペレータが一致するか否かが判別される（ステップＳ６６）。オペレータが一致しない場合（ステップＳ６６；ＮＯ）、ステップＳ６１に移行される。
【００９６】
新規メッセージがない場合（ステップＳ６３；ＮＯ）、通常のＥＣＲの会計処理が行われ、その売上データが記憶部２５の売上データファイル６１に格納される（ステップＳ６７）。そして、ステップＳ６３での会計処理のレシートがプリント部２９ａによりプリントアウトされて発行され（ステップＳ６８）、ステップＳ６１に移行される。
【００９７】
オペレータが一致する場合（ステップＳ６６；ＹＥＳ）、メッセージの受信を示すために点灯部２９ｃが点灯される（ステップＳ６９）。そして、操作中のオペレータから入力部２２を介して当該オペレータ宛のメッセージを表示する入力があるか否かが判別される（ステップＳ７０）。メッセージを表示する入力がある場合（ステップＳ７０；ＹＥＳ）、操作中のオペレータ宛のメッセージ内容及びステータスが受信ファイル６３から読み出され、そのメッセージ内容が順に表示部２４にスクロール表示される（ステップＳ７１）。
【００９８】
そして、メッセージの表示（オペレータの閲覧）が終了し、操作中のオペレータから入力部２２を介してメッセージ表示を終了する入力があるか否かが判別される（ステップＳ７２）。メッセージ表示を終了する入力がある場合（ステップＳ７２；ＹＥＳ）、表示部２４によりメッセージ内容の表示がクリアされ、点灯部２９ｃが消灯され、受信ファイル６３から表示済のメッセージ内容、ステータス及び宛先オペレータ情報が削除され（ステップＳ７３）、ステップＳ６１に移行される。なお、受信ファイル６３の表示済のメッセージ内容、ステータス及び宛先オペレータ情報の表示済フラグをオンする構成としてもよい。
【００９９】
操作中のオペレータから入力部２２を介してメッセージ表示を終了する入力がない場合（ステップＳ７２；ＮＯ）、操作中のオペレータから入力部２２を介してメッセージ表示を中断する入力があるか否かが判別される（ステップＳ７４）。メッセージ表示を中断する入力がない場合（ステップＳ７４；ＮＯ）、ステップＳ７０に移行される。メッセージ表示を中断する入力がある場合（ステップＳ７４；ＹＥＳ）、表示部２４によりメッセージ内容の表示がクリアされ、点灯部２９ｃが点灯継続され（ステップＳ７５）、ステップＳ６１に移行される。この中断は、いうまでもなく、顧客との取引に備えるための中断である。
【０１００】
操作中のオペレータから入力部２２を介して当該オペレータ宛のメッセージを表示する入力がない場合（ステップＳ７０；ＮＯ）、メッセージをプリントするものであり、操作中のオペレータから入力部２２のメッセージのプリント実行キーの入力があるか否かが判別される（ステップＳ７６）。プリント実行キーの入力がない場合（ステップＳ７６；ＮＯ）、点灯部２９ｃが点灯継続され（ステップＳ７７）、ステップＳ７０に移行される。
【０１０１】
プリント実行キーの入力があった場合（ステップＳ７６；ＹＥＳ）、操作中のオペレータから入力部２２のメッセージのプリント実行キーの二度目の入力があるか否かが判別される（ステップＳ７８）。プリント実行キーの二度目の入力がない場合（ステップＳ７８；ＮＯ）、ステップＳ７６に移行される。
【０１０２】
プリント実行キーの二度目の入力があった場合（ステップＳ７８；ＹＥＳ）、操作中のオペレータ宛のメッセージ内容及びステータスが受信ファイル６３から読み出され、そのメッセージ内容がプリント部２９ａにより順に記録用紙へプリントされる（ステップＳ７９）。プリント実行キーの二度入力によりメッセージ内容をプリントするのは、この直前に取引した顧客のレシートがプリント部２９ａに残っていてカットされていないことを防止するためである。ステップＳ７６でＹＥＳの場合に、例えば、「レシートが残っていませんか。残っていなければ、もう一度プリント実行キーを押して下さい」のように、レシートの確認指示が表示部２４に表示されることが好ましい。また、プリント実行キーの３度以上の入力に応じて、メッセージ内容を記録用紙にプリントすることとしてもよい。
【０１０３】
そして、プリント部２９ａでのメッセージ内容のプリントが終了したか否かが判別される（ステップＳ８０）。メッセージ内容のプリントが終了していない場合（ステップＳ８０；ＮＯ）、ステップＳ７９に移行される。
【０１０４】
メッセージ内容のプリントが終了した場合（ステップＳ８０；ＹＥＳ）、入力部２２がキーロックされ、キーロック解除キー以外のキー入力が受け付けられなくなる（ステップＳ８１）。そして、操作中のオペレータから入力部２２のキーロック解除キーの入力があるか否かが判別される（ステップＳ８２）。キーロック解除キーの入力がない場合（ステップＳ８２；ＮＯ）、ステップＳ８１に移行される。
【０１０５】
キーロック解除キーの入力がある場合（ステップＳ８２；ＹＥＳ）、入力部２２のキーロックが解除される（ステップＳ８３）。そして、点灯部２９ｃが消灯され（ステップＳ８４）、メッセージ出力処理が終了する。入力部２２にキーロックをかけるのは、メッセージのプリント紙がプリント部２９ａに残っていてカットされていなく、この直後に取引を行う顧客のレシートにメッセージ内容まで含めた形で渡してしまうことを防ぐためである。ステップＳ８１の後に、例えば、「メッセージが残っていませんか。残っていなければ、キーロック解除キーを押して下さい」のように、メッセージの確認指示が表示部２４に表示されることが好ましい。
【０１０６】
以上、本実施の形態によれば、決済システム１において、ＰＣ４０Ａ，４０Ｂから情報センタサーバ１０にメッセージ情報を登録し、ＥＣＲ２０Ａ，２０Ｂが、定期的に情報センタサーバ１０からメッセージ情報のメッセージ内容及び宛先オペレータ情報を取得する。そして、ＥＣＲ２０Ａ，２０Ｂにおいて、新規メッセージがある場合に、操作中のオペレータのオペレータ情報と、新規メッセージの宛先オペレータ情報とが一致するか否かを判別し、一致すると判別した場合に、そのメッセージ内容を表示又はプリントして出力する。このため、ＥＣＲ２０Ａ，２０Ｂに配信するメッセージを宛先のオペレータだけに見せることができる。
【０１０７】
また、新規メッセージのメッセージ内容を表示部２４に表示させる。このとき、宛先のオペレータへのメッセージがプリント部２９ａでプリントされず、そのメッセージが顧客に見られることを防ぐことができる。
【０１０８】
また、新規メッセージのメッセージ内容をプリント部２９ａにプリントさせた後、入力部２２にキーロックをかけ、キーロック解除入力に応じてキーロックを解除する。このため、宛先のオペレータへのメッセージがオートカット機能を有しないプリント部２９ａでプリントされた場合にも、キーロック中にプリント部２９ａのメッセージプリント済の記録用紙を切断してからキーロックを解除して次の処理を開始でき、宛先のオペレータへのメッセージ内容がレシートにプリントされて顧客に見られることを防ぐことができる。
【０１０９】
また、入力部２２がオペレータ指定キーを有する。このため、オペレータ指定キーの入力により、操作中のオペレータのオペレータ情報を容易に入力できる。また、入力部２２がオペレータ別の鍵を挿入する鍵挿入部を備える構成や、入力部２２の各種キーによりオペレータ情報を入力する構成でも、操作中のオペレータのオペレータ情報を容易に入力できる。また、これらオペレータ情報を入力するための入力部２２の構成を組み合わせることとしてもよい。
【０１１０】
また、入力部２２を介するプリント実行キーの２度入力に応じて、メッセージ内容を記録用紙にプリントする。このため、宛先のオペレータへのメッセージ内容が、直前の取引のレシートにプリントされて顧客に見られることを防ぐことができる。
【０１１１】
なお、上記実施の形態における記述は、本発明に係る売上データ処理装置、情報処理システム及びプログラムの一例であり、これに限定されるものではない。
【０１１２】
上記実施の形態では、ＥＣＲにおいて、宛先オペレータへのメッセージの表示又はプリントをオペレータが選択入力して表示又はプリントする構成であったが、これに限定されるものではない。例えば、宛先オペレータへのメッセージを表示するとともにプリントする構成としてもよい。なお、上記実施の形態では、売上データ処理装置としてＥＣＲ（Electronic Cash Resister；電子式金銭登録機）を例示したが、これに限定されず、売上データ処理装置はＰＯＳ(Point Of Sales)端末であってもよい。
【０１１３】
また上記実施の形態では、ＥＣＲにおいて、メッセージ受信の旨が点灯部２９ｃの点灯により示される構成としたが、これに限定されるものではない。例えば、メッセージ受信の旨が表示部２４により表示される構成としてもよい。
【０１１４】
また、上記実施の形態では、メッセージ情報登録要求を行う端末装置として、ＰＣ４０Ａ，４０Ｂを用いる構成としたが、これに限定されるものではない。例えば、携帯電話機、ＰＤＡ（Personal Digital Assistant）等、他の端末装置としてもよい。
【０１１５】
また、上記実施の形態における決済システム１の各構成要素の細部構成及び細部動作に関しては、本発明の趣旨を逸脱することのない範囲で適宜変更可能であることは勿論である。
【図面の簡単な説明】
【０１１６】
【図１】本発明に係る実施の形態の決済システムの構成を示すブロック図である。
【図２】情報センタサーバの内部構成を示すブロック図である。
【図３】ＥＣＲの内部構成を示すブロック図である。
【図４】ＰＣの内部構成を示すブロック図である。
【図５】（ａ）は、ＥＣＲに記憶されるデータの構成を示す図である。（ｂ）は、情報センタサーバに記憶されるデータの構成を示す図である。
【図６】（ａ）は、情報センタサーバに記憶されるＥＣＲテーブルの構成を示す図である。（ｂ）は、情報センタサーバに記憶されるメッセージファイル７３の構成を示す図である。
【図７】ＰＣで実行される登録要求処理を示すフローチャートである。
【図８】情報センタサーバで実行される登録処理を示すフローチャートである。
【図９】ＥＣＲで実行されるメッセージ取得処理を示すフローチャートである。
【図１０】情報センタサーバで実行されるメッセージ応答処理を示すフローチャートである。
【図１１】ＥＣＲで実行されるメッセージ出力処理を示すフローチャートである。
【図１２】図１１のメッセージ出力処理の続きのフローチャートである。
【符号の説明】
【０１１７】
１  決済システム
１０  情報センタサーバ
１１  ＣＰＵ
１２  入力部
１３  ＲＡＭ
１４  表示部
１５  記憶部
１６  通信部
１７  バス
２０Ａ，２０Ｂ  ＥＣＲ
２１  ＣＰＵ
２２  入力部
２３  ＲＡＭ
２４  表示部
２５  記憶部
２６  通信部
２７  接続部
２８  ドロア
２９ａ  プリント部
２９ｂ  接続部
２９ｃ  点灯部
２９ｄ  バス
３１Ａ，３１Ｂ  電子決済端末
３２Ａ，３２Ｂ  カードリーダ
４０Ａ，４０Ｂ  ＰＣ
４１  ＣＰＵ
４２  入力部
４３  ＲＡＭ
４４  表示部
４５  記憶部
４６  通信部
４７  バス
５０  決済センタサーバ
Ｎ  通信ネットワーク
【図１】
2009031994.tif 000003
【図２】
2009031994.tif 000004
【図３】
2009031994.tif 000005
【図４】
2009031994.tif 000006
【図５】
2009031994.tif 000007
【図６】
2009031994.tif 000008
【図７】
2009031994.tif 000009
【図８】
2009031994.tif 000010
【図９】
2009031994.tif 000011
【図１０】
2009031994.tif 000012
【図１１】
2009031994.tif 000013
【図１２】
2009031994.tif 000014